(57)【要約】【課題】光ディスクに照射される光ビームのエネルギーを一定条件に維持でき、安定な情報の記録および再生が可能な光ピックアップならびに光ディスク装置を提供する。【解決手段】この発明の光ピックアップは、光学ベース１５１に設けられた貫通穴に挿入されるボス部１６２とボス部の軸線方向と直交する方向にボス部を貫通穴内で移動可能とする平面部とを有するボス板１６１に保持されたヒートシンクにより、ダイクロイックプリズムに入射される光ビームの中心と対物レンズの中心とを容易に一致できる。【選択図】    図８
2004253092.tif 000002
【特許請求の範囲】
【請求項１】
光ビームを出射する光源と、
この光源を保持する光学ベースと、
前記光学ベースに固定され、前記光源からの光ビームを反射するダイクロイックプリズムと、
前記光学ベースに固定され、前記ダイクロイックプリズムから反射された前記光ビームを受けるミラーと、
前記光源と一体に構成され、前記光源からの熱を逃がすヒートシンクと、
前記ヒートシンクを前記光学ベースの所定の位置に位置決め調整させるヒートシンク保持部材と、
を有することを特徴とする光ピックアップ装置。
【請求項２】
前記ヒートシンク保持部材を前記光学ベースに保持させる保持部材加圧機構とを具備することを特徴とする請求項１記載の光ピックアップ装置。
【請求項３】
前記保持部材加圧機構は、前記ヒートシンクを、前記光学ベースの所定の方向に移動可能に前記光学ベースに押しつけるバネ材であることを特徴とする請求項２記載の光ピックアップ装置。
【請求項４】
前記ヒートシンク保持部材は、前記光学ベースに設けられた貫通穴に挿入されるボス部と、このボス部の軸線方向と直交する方向に、前記ボス部を前記貫通穴内で移動可能とする平面部とを有することを特徴とする請求項１ないし３のいずれかに記載の光ピックアップ装置。
【請求項５】
前記ヒートシンク保持部材は、前記光学ベースに、接着により固定されることを特徴とする請求項１ないし４のいずれかに記載の光ピックアップ装置。
【請求項６】
光ビームを出射する光源と、
この光源を保持する光学ベースと、
前記光学ベースに固定され、前記光源からの光ビームを反射するダイクロイックプリズムと、
前記光学ベースに固定され、前記ダイクロイックプリズムから反射された前記光ビームを受けるミラーと、
前記光源と一体に構成され、前記光源からの熱を逃がすヒートシンクと、
前記ヒートシンクを前記光学ベースの所定の位置に位置決め調整させるヒートシンク保持部材と、
前記光ビームが記録媒体で反射された反射光ビームを検出し、前記反射光ビームの強度に対応する大きさの電気信号を出力する光検出器と、
を有することを特徴とする光ディスク装置。
【請求項７】
前記ヒートシンク保持部材は、前記光学ベースに設けられた貫通穴に挿入されるボス部と、このボス部の軸線方向と直交する方向に、前記ボス部を前記貫通穴内で移動可能とする平面部とを有することを特徴とする請求項６記載の光ディスク装置。
【請求項８】
前記ヒートシンク保持部材は、前記光学ベースに、接着により固定されることを特徴とする請求項６または７に記載の光ディスク装置。
【請求項９】
記録媒体に光を集光し、または記録媒体からの光を捕捉する対物レンズと、対物レンズを通る光の光路を所定の角度に折り曲げるプリズムミラーと、第１の波長の光を出射する第１の光源と、第２の波長の光を出射する第２の光源と、第１の光源からの光をコリメートするコリメートレンズと、コリメートレンズによりコリメートされた第１の波長の光をプリズムミラーに向けて透過し、第２の光源からの光をプリズムミラーに向けて反射するダイクロイックプリズムと、それぞれの要素を保持する光学ベースからなる２波長光ピックアップ装置の組み立て方法において、
プリズムミラーを光学ベースの所定の位置に、直接もしくは保持部材を介して固定し、
プリズムミラーに第１の光源からの光を所定の条件で入射可能に、コリメートレンズを光学ベースの所定の位置に、直接もしくは保持部材を介して固定し、
第２の光源の代わりに組み立て用の仮想光源を用い、仮想光源からの光をプリズムミラーからの反射光としてモニタしながら、ダイクロイックプリズムを、光学ベースの所定の位置に、直接もしくは保持部材を介して固定し、
調整用光検出器または傾角測定器のディテクタにより得られるモニタ信号に基づいて、ヒートシンクに固定された第２の光源を光学ベースの所定の位置に位置させ、
ヒートシンクと光学ベースとの相対位置を変更可能にヒートシンクを保持するヒートシンク保持部材を光学ベースに接着することを特徴とする光ピックアップ装置の組み立て方法。
【請求項１０】
ヒートシンク保持部材は、光学ベースに設けられた貫通穴に挿入されるボス部と、ボス部の軸線方向と直交する方向に、ボス部を貫通穴内で移動可能とする平面部とを有し、バネ材により光学ベースに押しつけられることを特徴とする請求項９記載の光ピックアップの組み立て方法。
【請求項１１】
ヒートシンク保持部材は、光学ベースに、接着により固定されることを特徴とする請求項９または１０に記載の光ピックアップの組み立て方法。
【請求項１２】
ヒートシンク保持部材は、調整用光検出器もしくは傾角測定器のディテクタにより得られるモニタ信号が最大となるように、平面部に沿って平行移動されて、光学ベースの所定の位置に位置されることを特徴とする請求項１０記載の光ピックアップの組み立て方法。
【発明の詳細な説明】
【０００１】
【発明の属する技術分野】
この発明は、情報記録媒体である光ディスクに情報を記録し、あるいは情報を再生するために用いられる光ピックアップならびに光ディスク装置に関する。
【０００２】
【従来の技術】
情報記録媒体としての光ディスクとして、ＣＤ（音楽用コンパクトディスク）やＤＶＤ−ＲＯＭに代表される再生専用型、ＣＤ−Ｒ、ＤＶＤ−Ｒに代表される１回追記型、コンピュータの外付けメモリやビデオ記録用に代表される書き換え可能型等が既に実用化されている。
【０００３】
近年、光ディスクは情報関連及び放送関連機器で求められる記録容量の急激な増加に対応するため容量の増大が求められている。そのため、記録密度を上げる目的で、レーザ波長の短波長化（集光スポット径の小径化）や超解像技術の利用等の研究が進められる一方、トラックピッチ、マークピットピッチを詰めるために、電子ビーム露光等のマスタリング技術が検討されている。
【０００４】
例えば、レーザ波長の短波長化に関しては、既に、波長が４０５ｎｍの青紫色のレーザ光を用いる規格が規定されている。
【０００５】
このため、光ディスクに情報を記録するための光ピックアップの位置精度や組立精度に、高い精度が要求されている。
【０００６】
なお、光ピックアップを組み立てる際の組立精度や位置精度を高めるため、光ピックアップ内に組み込まれるグレーティング素子を回転可能とした提案がある（例えば特許文献１参照）。
【０００７】
【特許文献１】
特開２００２−１５０５９９号公報（図１３、図１４、図１９、段落［０００５］、同［００１６］、要約）
【０００８】
【発明が解決しようとする課題】
特許文献１に開示された発明では、光ピックアップにおいて、グレーティングを含むモジュール７０を、突起４９と円環状ガイド部５０により、任意の方向に回転可能である。
【０００９】
しかしながら、今日、光ピックアップに対する一層の小型化の要求から、光ビームを出射する半導体レーザ素子と光ディスクで反射された反射光ビームを所定の条件で受光して対物レンズのフォーカス制御およびトラック制御ならびに信号再生のための電気信号を得る光検出器とは既に一体化されており、レーザ素子からの光ビームを対物レンズに案内する光学要素および対物レンズを通る光ビームの光軸調整については、特に、高い精度が要求されている。
【００１０】
一方、レーザ素子には、レーザ素子からの熱を放熱するヒートシンクが一体に組み立てられる。なお、波長が４０５ｎｍの青紫色のレーザ光を用いる場合は、光ビームの利用効率を高めるために光ビームのエネルギー分布も考慮される必要がある。このため、半導体レーザ素子と光検出器とからなるＩＯＵ（入出力ユニット）、レーザ素子からの光ビームを対物レンズに案内する光学要素および対物レンズを通る光ビームの光軸を調整する際の調整時間が増大される問題がある。
【００１１】
なお、レーザ素子には、一般に、ヒートシンクが設けられるが、確実な放熱が可能なヒートシンクの形状および固定方法と光軸調整のための調整スペースとを両立できるレーザ素子の保持機構またはヒートシンクの形状は、まだ確立されていない。
【００１２】
このため、対物レンズを通過して光ディスクの記録面に集光される光ビームのエネルギーが均一にならない問題がある。
【００１３】
この発明の目的は、光ディスクに照射される光ビームのエネルギーを一定条件に維持でき、安定な情報の記録および再生が可能な光ピックアップならびに光ディスク装置を提供することである。
【００１４】
【課題を解決するための手段】
この発明は、光ビームを出射する光源と、この光源を保持する光学ベースと、前記光学ベースに固定され、前記光源からの光ビームを反射するダイクロイックプリズムと、前記光学ベースに固定され、前記ダイクロイックプリズムから反射された前記光ビームを受けるミラーと、前記光源と一体に構成され、前記光源からの熱を逃がすヒートシンクと、前記ヒートシンクを前記光学ベースの所定の位置に位置決め調整させるヒートシンク保持部材と、を有することを特徴とする光ピックアップ装置を提供するものである。
【００１５】
またこの発明は、光ビームを出射する光源と、この光源を保持する光学ベースと、前記光学ベースに固定され、前記光源からの光ビームを反射するダイクロイックプリズムと、前記光学ベースに固定され、前記ダイクロイックプリズムから反射された前記光ビームを受けるミラーと、前記光源と一体に構成され、前記光源からの熱を逃がすヒートシンクと、前記ヒートシンクを前記光学ベースの所定の位置に位置決め調整させるヒートシンク保持部材と、前記光ビームが記録媒体で反射された反射光ビームを検出し、前記反射光ビームの強度に対応する大きさの電気信号を出力する光検出器と、を有することを特徴とする光ディスク装置を提供するものである。
【００１６】
さらにこの発明は、記録媒体に光を集光し、または記録媒体からの光を捕捉する対物レンズと、対物レンズを通る光の光路を所定の角度に折り曲げるプリズムミラーと、第１の波長の光を出射する第１の光源と、第２の波長の光を出射する第２の光源と、第１の光源からの光をコリメートするコリメートレンズと、コリメートレンズによりコリメートされた第１の波長の光をプリズムミラーに向けて透過し、第２の光源からの光をプリズムミラーに向けて反射するダイクロイックプリズムと、それぞれの要素を保持する光学ベースからなる２波長光ピックアップ装置の組み立て方法において、プリズムミラーを光学ベースの所定の位置に、直接もしくは保持部材を介して固定し、プリズムミラーに第１の光源からの光を所定の条件で入射可能に、コリメートレンズを光学ベースの所定の位置に、直接もしくは保持部材を介して固定し、第２の光源の代わりに組み立て用の仮想光源を用い、仮想光源からの光をプリズムミラーからの反射光としてモニタしながら、ダイクロイックプリズムを、光学ベースの所定の位置に、直接もしくは保持部材を介して固定し、調整用光検出器または傾角測定器のディテクタにより得られるモニタ信号に基づいて、ヒートシンクに固定された第２の光源を光学ベースの所定の位置に位置させ、ヒートシンクと光学ベースとの相対位置を変更可能にヒートシンクを保持するヒートシンク保持部材を光学ベースに接着することを特徴とする光ピックアップ装置の組み立て方法を提供するものである。
【００１７】
【発明の実施の形態】
以下、図面を参照して、この発明の実施の形態について詳細に説明する。
【００１８】
図１は、この発明の実施の形態である光ピックアップを含む光ディスク装置の一例を説明する概略図である。
【００１９】
図１に示す光ディスク装置１０１は、ハウジング１１１と、ハウジング１１１に対してイジェクト動作（矢印Ａ方向への移動）またはローディング動作（矢印Ａ´方向への移動）が可能に形成されたテーブルユニット１１２を有している。
【００２０】
テーブルユニット１１２の概ね中央には、光ディスクＤを所定の回転数で回転させるターンテーブル１１３が設けられている。なお、図１は、光ディスクＤが装填されていない状態でテーブルユニット１１３がイジェクトされている場合が示されているので、光ピックアップ１２１の一部および光ピックアップ１２１に組み込まれている対物レンズ１２２が露出されて見える。
【００２１】
図２は、図１に示した光ディスク装置１０１の光ピックアップ１２１の要素を抜き出した状態で、光ピックアップの動作原理を説明する概略図である。
【００２２】
図２に示されるように、光ピックアップ１２１は、光ビームすなわちレーザ光を光ディスクＤの記録面に集光するとともに光ディスクＤで反射されたレーザ光（以下反射レーザ光と呼称する）を取り込む対物レンズ１２２を有する。
【００２３】
対物レンズ１２２の光ディスクＤと逆の側の所定位置には、対物レンズ１２２を通って光ディスクＤに向けられるレーザ光と光ディスクからの反射レーザ光の所定の光学特性を与える第１のホログラム素子１２３が設けられている。
【００２４】
対物レンズ１２２と第１のホログラム素子１２３は、光ディスクＤの記録面と直交する方向ならびに記録面に設けられている案内溝または記録マーク列と直交する方向に、詳述しない３軸アクチュエータにより、任意に移動可能である。
【００２５】
第１のホログラム素子１２３の手前すなわち対物レンズ１２２から離れる側の所定の位置には、光ディスクＤの記録面と概ね平行に案内されるレーザ光を対物レンズ１２２に向けて反射するプリズムミラー１２４が設けられている。
【００２６】
光ディスクＤの記録面と概ね平行であってプリズムミラー１２４にレーザ光を入射可能な位置には、例えば近赤外域の波長のレーザ光を出射する第１のレーザ素子１２５が設けられている。なお、第１のレーザ素子１２５は、例えばＣＤ系の光ディスクからの情報の再生に利用される。
【００２７】
第１のレーザ素子１２５とプリズムミラー１２４との間には、レーザ素子１２５の側から順に、回折格子と無偏光ホログラムが一体に形成されている受光特性設定素子１２６、カップリングレンズ１２７、ダイクロイックプリズム１２８、およびコリメートレンズ１２９が設けられている。なお、第１のレーザ素子１２５が設けられる位置に対して所定の条件を満たす位置には、光ディスクＤからの反射レーザ光を検出する第１の光検出器１３０が位置されている。この第１の光検出器１３０には、受光特性設定素子１２６により所定の回折が与えられた反射レーザ光が入射される。
【００２８】
ダイクロイックプリズム１２８による反射によりプリズムミラー１２４に向けてレーザ光を入射可能な位置には、例えば赤色の波長のレーザ光を出射する第２のレーザ素子１３１が設けられている。なお、第２のレーザ素子１３１は、例えばＤＶＤ規格の光ディスクからの情報の再生およびＣＤ系ならびにＤＶＤ規格の光ディスクへの情報の書き込みに利用される。
【００２９】
第２のレーザ素子１３１とダイクロイックプリズム１２８との間の所定の位置には、第２のレーザ素子から放射されるレーザ光に光ディスクＤへの情報の記録に適した特性を与えるＦＭホログラム素子１３２が位置されている。なお、ＦＭホログラム素子１３２には、光ディスクＤからの反射レーザ光に所定の受光特性を与える機能も与えられている。
【００３０】
第２のレーザ素子１３１が設けられる位置に対して所定の条件を満たす位置には、光ディスクＤからの反射レーザ光を検出する第２の光検出器１３３が設けられている。この第２の光検出器１３３には、ＦＭホログラム素子１３２により所定の回折が与えられた反射レーザ光が入射される。なお、第２のレーザ素子１３１、ＦＭホログラム素子１３２および第２の光検出器１３３は、ＤＶＤ向け発光／受光ユニット（ＶＬＤＩＯＵ）１３５として、ヒートシンク１３４を含んで、一体化されている。
【００３１】
図２に示した光ピックアップ１２１においては、ＣＤ系光ディスクから情報を再生する場合、第１のレーザ素子１２５から出力された例えば７８０ｎｍの波長のレーザ光Ｌａは、受光特性設定素子１２６により所定の波面特性が与えられ、カップリングレンズ１２７により所定の結合効率が確保されて、ダイクロイックプリズム１２８に入射される。
【００３２】
ダイクロイックプリズム１２８に入射されたレーザ光Ｌａは、ダイクロイックプリズム１２８を透過し、コリメートレンズ１２９でコリメートされ、プリズムミラー１２４により対物レンズ１２２に向けて進行方向が折り曲げられる。
【００３３】
プリズムミラー１２４で対物レンズ１２２に向けられたレーザ光Ｌａは、第１のホログラム素子１２３を通って、光ディスクＤの記録面に集光される。
【００３４】
光ディスクＤの記録面で反射された反射レーザ光Ｌａ´は、第１のホログラム素子１２３を通ってプリズムミラー１２４に戻され、再び光ディスクＤの記録面と概ね平行に進行方向が折り曲げられる。
【００３５】
プリズムミラー１２４で折り曲げられた反射レーザ光Ｌａ´は、コリメートレンズ１２９に入射され、ダイクロイックプリズム１２８に案内される。
【００３６】
ダイクロイックプリズム１２８に戻された反射レーザ光Ｌａ´は、そのままダイクロイックプリズム１２８を通過し、受光特性設定素子１２６により第１の光検出器１３０に向けられる。
【００３７】
これにより、第１の光検出器１３０に、光ディスクＤに記録されている情報に応じて強度が変化されて戻された反射レーザ光Ｌａ´が入射される。
【００３８】
以下、第１の光検出器１３０により反射レーザ光Ｌａ´が光電変換され、その出力が図３を用いて後段に説明する信号処理系により処理されて、光ディスクＤに記録されている情報に対応する信号として、外部装置あるいは一時記憶装置に出力される。
【００３９】
一方、ＤＶＤ規格の光ディスクに情報を記録する場合には、第２のレーザ素子１３１から出力された例えば６６０ｎｍの波長のレーザ光Ｌｂは、ＦＭホログラム素子１３２１２６により所定の波面特性が与えられ、ダイクロイックプリズム１２８に入射される。
【００４０】
ダイクロイックプリズム１２８に入射されたレーザ光Ｌｂは、ダイクロイックプリズム１２８で反射され、コリメートレンズ１２９に案内される。
【００４１】
コリメートレンズ１２９に案内されたレーザ光Ｌｂは、コリメートレンズ１２０によりコリメートされ、プリズムミラー１２４により対物レンズ１２２に向けて進行方向が折り曲げられる。
【００４２】
プリズムミラー１２４で対物レンズ１２２に向けられたレーザ光Ｌｂは、第１のホログラム素子１２３を通って、光ディスクＤの記録面に集光される。
【００４３】
光ディスクＤの記録面に集光されたレーザ光Ｌｂは、図３を用いて後段に説明する信号処理系において記録すべき情報に応じて光強度が変調されているので、時間あたりのエネルギーが光ディスクＤの記録膜の相を変化できるエネルギーである場合に、記録膜に、記録マークすなわちピットを形成する。
【００４４】
光ディスクＤの記録面で反射された反射レーザ光Ｌｂ´は、第１のホログラム素子１２３を通ってプリズムミラー１２４に戻され、再び光ディスクＤの記録面と概ね平行に進行方向が折り曲げられ、コリメートレンズ１２９を通って、ダイクロイックプリズム１２８に戻される。
【００４５】
ダイクロイックプリズム１２８に戻された反射レーザ光Ｌｂ´は、ダイクロイックプリズム１２８で反射され、ＦＭホログラム素子１３２により、第２の光検出器１３３に向けられる。
【００４６】
第２の光検出器１３３に入射された反射レーザ光Ｌｂ´の一部は、図３に示す信号処理系において、フォーカスエラー信号およびトラックエラー信号の生成に利用される。すなわち、対物レンズ１２２は、詳述しない光ディスクＤの記録面にオンフォーカスとなる位置にフォーカスロックされるとともに、同記録面に予め形成されているトラックまたは情報ピットのピット列の中心とレーザ光の中心が一致するよう、トラッキングが制御される。
【００４７】
また、ＤＶＤ規格の光ディスクから情報が再生される場合には、上述した情報の記録と同様にして光ディスクＤの記録面に集光された光ビームＬｂは、記録面に記録されている記録マーク（ピット列）に従って強度が変化されて光ディスクＤから反射される。
【００４８】
光ディスクＤから反射された反射レーザ光Ｌｂ´は、第１のホログラム素子１２３を通ってプリズムミラー１２４に戻され、再び光ディスクＤの記録面と概ね平行に進行方向が折り曲げられ、コリメートレンズ１２９を通って、ダイクロイックプリズム１２８に戻される。
【００４９】
ダイクロイックプリズム１２８に戻された反射レーザ光Ｌｂ´は、ダイクロイックプリズム１２８で反射され、ＦＭホログラム素子１３２により、第２の光検出器１３３に向けられる。
【００５０】
第２の光検出器１３３に入射された反射レーザ光Ｌｂ´の一部は、図３に示す説明する信号処理系において、第２の光検出器１３３の出力を加算して得られる再生信号に対応する信号として、外部装置あるいは一時記憶装置に出力される。
【００５１】
図３は、図１および図２により説明した光ディスク装置の信号処理系の一例を説明する概略図である。なお、図３においては、ＣＤ系光ディスクからの信号の再生（ダイクロイックプリズムを通過するレーザ光）については省略し、第２の光検出器の出力信号すなわちＤＶＤ規格光ディスクからの信号再生、フォーカス制御およびトラッキング制御を中心に説明する。
【００５２】
第２の光検出器１３３は、第１ないし第４の領域フォトダイオード１３３Ａ，１３３Ｂ，１３３Ｃおよび１３３Ｄを含む。それぞれのフォトダイオードの出力Ａ，Ｂ，ＣおよびＤは、それぞれ、第１ないし第４の増幅器２２１ａ，２２１ｂ，２２１ｃおよび２２１ｄにより、所定のレベルまで増幅される。
【００５３】
各増幅器２２１ａ〜２２１ｄから出力Ａ〜Ｄは、ＡとＢが、第１の加算器２２２ａにより加算され、ＣとＤが、第２の加算器２２２ｂにより加算される。
【００５４】
加算器２２２ａおよび２２２ｂの出力は、加算器２２３において「（Ａ＋Ｂ）に（Ｃ＋Ｄ）が符号を反転して加算」される（引き算される）。
【００５５】
加算器２２３による加算（引き算）の結果は、対物レンズ１２２の位置を、光ディスクＤの記録面に予め形成されている図示しないトラックまたは記録情報である図示しないピット列と対物レンズ１２２を介して集束されるレーザ光が集束される距離である焦点距離に一致させるために利用されるフォーカスエラー信号として、フォーカス制御回路２３１に供給される。
【００５６】
加算器２２４は（Ａ＋Ｃ）を生成し、加算器２２５は（Ｂ＋Ｄ）を生成する。両加算器の出力すなわち（Ａ＋Ｃ）と（Ｂ＋Ｄ）は、位相差検出器２３２に入力される。位相差検出器２３２は、対物レンズ１２２がレンズシフトされている場合に、正確なトラッキングエラー信号を得るために有益である。
【００５７】
加算器２２６により、（Ａ＋Ｂ）と（Ｃ＋Ｄ）の和が求められ、トラッキングエラー信号として、トラッキング制御回路２３３に供給される。
【００５８】
（Ａ＋Ｃ）と（Ｂ＋Ｄ）は、加算器２２７によりさらに加算され（Ａ＋Ｂ＋Ｃ＋Ｄ）信号すなわち再生信号に変換され、バッファメモリ２３４に入力される。
【００５９】
なお、ＡＰＣ回路２３９には、第２のレーザ素子１３１から出射されたレーザ光の戻り光の強度が入力される。これにより、記録用データメモリ２３６に記憶されている記録データに基づいてレーザ素子１３１から出射される記録用レーザ光の強度が安定化される。
【００６０】
ところで、第２のレーザ素子１３１は、例えば図４（ａ），（ｂ）に示されるようなヒートシンク１３４が一体に組み込まれ、例えば図５（ａ），（ｂ）に示される通りユニット化されているＶＬＤＩＯＵ１３５を、図６により以下に説明する光学ベース１５１のボス１５２とヒートシンク１３４の位置決め穴１３４ａとに位置決めすることで、光学ベース１５１の所定の位置に固定される。
【００６１】
しかしながら、ヒートシンク１３４の位置決め穴１３４ａの位置精度やＶＬＤＩＯＵ１３５とヒートシンク１３４との間の位置精度およびそれぞれの形状精度等に起因して、位置決め穴１３４ａとＶＬＤＩＯＵ１３５内に位置される第２のレーザ素子１３１の発光位置あるいはレーザ素子１３１から出射されるレーザ光Ｌｂの中心位置が、必ずしも一定にならないことが知られている。また、レーザ素子１３１から出射されるレーザ光は、周知の通り、レーザ素子のチップの接合面に水平な方向と垂直な方向で、拡がり角が異なることが知られている。
【００６２】
すなわち、ＶＬＤＩＯＵ１３５を、光学ベース１５１に単純に固定したのみでは、レーザ光Ｌｂのビームスポットの中心と対物レンズ１２２の中心とは、一致しない。
【００６３】
このため、多くの場合、光ピックアップ１２１が組み立てられる際は、例えば図７に示される通り、ダイクロイックプリズム１２８が、プリズムミラー１２４とダイクロイックプリズム１２８との間の光軸およびダイクロイックプリズム１２８とＶＬＤＩＯＵ１３５の基準軸とを含む面に平行に、矢印ＡあるいはＢの方向に回転されることで、レーザ光Ｌｂのビームスポットの中心と対物レンズ１２２の中心とが概ね一致される。
【００６４】
しかしながら、図７に示したように、レーザ素子１３１から出射されるレーザ光の主光線の方向が対物レンズ１２２の中心とずれている場合は、レーザ光Ｌｂのビームスポットの中心と対物レンズ１２２の中心とが一致されている場合であっても、ＩＯＵ１３５側の位置精度や光学ベース１５１とＩＯＵ１３５との間の取り付け精度に起因して、対物レンズ１２２に入射するレーザ光の強度すなわちエネルギー量は、大きく変化する。
【００６５】
これに対し、図８に示すように、光学ベース１５１に貫通穴１５３を設けて、図９に示すように、ボス１６２が形成されたボス板１６１を、図１０に示すように、光学ベース１５１の外側から板バネ１６３により押圧する。
【００６６】
図８ないし図１０に示す構成とすることにより、ボス１６２（ボス板１６１）は、図１１に示されるように、光学ベース１５１の貫通穴１５３の範囲で、貫通穴１５３の軸方向と直交する任意の方向に、任意量に移動（スライド）可能となる。なお、ボス板１６１のボス１６２がスライドできる最大値（調整しろ）は、光学ベース１５１の貫通穴１５３とボス１６２の直径との差を適切に設定することで任意に設定されることはいうまでもない。
【００６７】
また、ボス１６２すなわちボス板１６１を光学ベース１５１と独立に形成することにより、ボス板１６１およびボス１６２は、例えば図１２（ａ）に示すように、ダイカスト成型時のパーティングラインの影響を受けにくくなる。
【００６８】
このことから、図１２（ｂ）に示されるような、光学ベース１５１と同時成型である場合に、パーティングを考慮して用意されなければならなかった逃げ部分（「金型の割り」により生じるバリを除去するための追加工を必要としないためのボスの特別な形状）１５２ａが不要となる。
【００６９】
すなわち、ボス１６２（ボス板１６１）を、図８ないし図１０に示した通り、光学ベース１５１と独立に用意し、光学ベース１５１に別工程で固定することにより、ボス板１６１（ボス１６２）を光学ベース１５１に固定する際の取り付け精度も、向上される。
【００７０】
次に、図８ないし図１０に示したボスおよびボス板と光学ベースとを用いた光ピックアップを組み立てる際の主要な工程の一例を説明する。
【００７１】
図１３に示すように、光学ベース１５１およびダイクロイックプリズム１２８を、第２のレーザ素子１３１が設計上の位置に位置されている状態を提供可能な仮想の（組み立て用の）光源３０１が設けられている図示しない組み立て治具にセットする。
【００７２】
続いて、図示しないが、例えばオートコリメータ（傾角測定器）を用い、ダイクロイックプリズム１２８から出射される光源３０１からの光ビームが所定の角度となるようにダイクロイックプリズム１２８の位置を設定し、例えば接着により、光学ベース１５１に固定する。
【００７３】
次に、光学ベース１５１のボス１６２向け貫通穴１５３に、ボス板１６１すなわちボス１６２をセットし、板バネ１６３を用いて、ボス板１６１を光学ベース１５１に押圧する。
【００７４】
以下、ボス１６２に、ヒートシンク１３４の位置決め穴１３４ａによりＶＬＤＩＯＵ１３５を固定し、ＶＬＤＩＯＵ１３５のレーザ素子１３１を発光させる。このとき、ダイクロイックプリズム１２８から出射されるレーザ光をオートコリメータによりモニタしながら、ボス板１６１を任意の方向に移動させ、レーザ光の光軸（レーザ光が本来通るべき軸線）上に発光点を移動させ、ボス板１６１を停止させる。なお、ボス板１６１は、板バネ１６３により光学ベース１５１に押圧されているので、僅かな振動や外力が加わった場合でも、ボス板１６１の位置は保持される。
【００７５】
続いて、図１４に示すように、ボス板１６１と光学ベース１５１とを、例えば紫外線が照射されることにより硬化するＵＶ硬化接着により接着する（ＵＶ硬化樹脂をボス板１６１と光学ベース１５１との間の所定の空間に流し、所定波長のＵＶ光を照射する）。
【００７６】
詳細には、図１３ならびに図１４を用いて説明した光ピックアップの組み立て方法は、光ディスクＤにレーザ光を集光し、または光ディスクＤからの反射光を捕捉する対物レンズ１２２と、対物レンズ１２２を通るレーザ光の光路を所定の角度に折り曲げるプリズムミラー１２４と、第１の波長の光を出射する第１の光源１２５と、第２の波長の光を出射する第２の光源（ＶＬＤＩＯＵ）１３１と、第１の光源からの光をコリメートするコリメートレンズ１２９と、コリメートレンズ１２９によりコリメートされた第１の波長の光をプリズムミラー１２４に向けて透過し、第２の光源１３１からの光をプリズムミラー１２４に向けて反射するダイクロイックプリズム１２８と、それぞれの要素を保持する光学ベース１５１からなる２波長光ピックアップ装置は、
プリズムミラー１２４を光学ベース１５１の所定の位置に、直接もしくは保持部材を介して固定し、
プリズムミラー１２４に第１の光源１２５からの光を所定の条件で入射可能に、コリメートレンズ１２９を光学ベース１５１の所定の位置に、直接もしくは保持部材を介して固定し、
第２の光源１３１の代わりに組み立て用の仮想光源３０１を用い、仮想光源３０１からの光をプリズムミラー１２４からの反射光としてモニタしながら、ダイクロイックプリズム１２８を、光学ベース１５１の所定の位置に、直接もしくは保持部材を介して固定し、
図示しない調整用光検出器または傾角測定器のディテクタにより得られるモニタ信号に基づいて、ヒートシンク１３４に固定された第２の光源１３１を光学ベース１５１の所定の位置に位置させ、
ヒートシンク１３４と光学ベース１５１との相対位置を変更可能にヒートシンク１３４を保持するヒートシンク保持部材１６１を光学ベース１５１に接着することにより、光ピックアップ装置が組み立てられる。
【００７７】
この方法によれば、光源すなわちＶＬＤＩＯＵから出射されるレーザ光の中心を対物レンズの概ね中心に一致させること、すなわちレーザ光の光軸（レーザ光が本来通るべき軸線）上に発光点を揃えることができ、対物レンズにより光ディスクの記録面に集光されるレーザ光のエネルギーが、不所望に変動することが防止される。しかも、高価な測定装置が不要で、現在利用されている生産設備をそのまま流用可能であり、組み立てコストに影響を与えない。
【００７８】
また、上述した実施の形態の説明においては、ＤＶＤ規格の光ディスクに情報を書き込むための発光／受光ユニットを例に説明したが、ＣＤ規格の光ディスクから情報を再生するためのレーザ素子を含むレーザユニットにも、もちろん適用できる。
【００７９】
なお、この発明は、上記各実施の形態に限定されるものではなく、その実施の段階ではその要旨を逸脱しない範囲で種々な変形・変更が可能である。また、各実施の形態は、可能な限り適宜組み合わせて実施されてもよく、その場合、組み合わせによる効果が得られる。
【００８０】
【発明の効果】
以上詳述したように本発明によれば、光源からの光ビームの中心を対物レンズに入射可能であるから、個体差の少ない光ピックアップが得られる。従って、光ピックアップの歩留まりが高められるとともに、製造コストが低減される。
【００８１】
また、本発明の光ピックアップが組み込まれる光ディスク装置においては、光ディスクに情報が記録される際の記録状態が均一化されることから、光ディスク装置に個体差が生じる虞れが低減される。
【図面の簡単な説明】
【図１】この発明の実施の形態が適用される光ディスク装置の一例を説明する概略図。
【図２】図１に示した光ディスク装置に組み込まれる光ピックアップの一例を説明する概略図。
【図３】図１および図２に示した光ディスク装置の信号処理系の一例を説明するための概略ブロック図。
【図４】図２に示した光ピックアップに組み込まれるヒートシンクの一例を説明する概略図。
【図５】図２に示した光ピックアップに組み込まれるＤＶＤ向け発光／受光ユニットの一例を説明する概略図。
【図６】図５に示したＤＶＤ向け発光／受光ユニットを図２に示した光ディスク装置に取り付ける構成の一例を説明する概略図。
【図７】図６に示した発光／受光ユニットを光ディスク装置に取り付ける構成により生じる不具合の一例を説明する概略図。
【図８】図６に示した発光／受光ユニットを光ディスク装置に取り付ける構成を代わる取り付け構造の主要部の一例を説明する概略図。
【図９】図８に示した取り付け構造に組み合わせられる発光／受光ユニット保持構造の一例を説明する概略図。
【図１０】図８に示した取り付け構造に図９に示した取り付け構造を装着した状態の一例を説明する概略図。
【図１１】図１０に示した図９の取り付け構造が移動可能な状態を説明する概略図。
【図１２】図９に示した取り付け構造を成型する際の特徴を説明する概略図。
【図１３】図８ないし図１０に示した発光／受光ユニット保持構造および取り付け機構を用いた光ピックアップを組み立てる工程の一例を説明する概略図。
【図１４】図８ないし図１０に示した発光／受光ユニット保持構造および取り付け機構を用いた光ピックアップを組み立てる工程の一例を説明する概略図。
【符号の説明】
１０１…光ディスク装置、１２１…光ピックアップ、１２２…対物レンズ、１２４…プリズムミラー、１２５…第１のレーザ素子、１２８…ダイクロイックプリズム、１２９…コリメートレンズ、１３０…第１の光検出器、１３１…第２のレーザ素子、１３３…第２のレーザ素子、１３４…ヒートシンク、１３４…位置決め穴、１３５…発光／受光ユニット、１５１…光学ベース、１５３…貫通穴、１６１…ボス板、１６２…ボス、１６３…板バネ。
【図１】
2004253092.tif 000003
【図２】
2004253092.tif 000004
【図３】
2004253092.tif 000005
【図４】
2004253092.tif 000006
【図５】
2004253092.tif 000007
【図６】
2004253092.tif 000008
【図７】
2004253092.tif 000009
【図８】
2004253092.tif 000010
【図９】
2004253092.tif 000011
【図１０】
2004253092.tif 000012
【図１１】
2004253092.tif 000013
【図１２】
2004253092.tif 000014
【図１３】
2004253092.tif 000015
【図１４】
2004253092.tif 000016